(57)【要約】【課題】前面からの照明が可能であり、小型で発熱も少なく、照明むらも少ない照明機能を付加した額縁を提供すること。【解決手段】額縁は、内枠１１が嵌合する凹部と、内枠を係止するトンボ１４を備えた外枠１０と、前記凹部の前方に配置される透明板と、前記透明板の後方に配置される飾り枠１８と、少なくとも上下に発光ダイオード照明手段を備え、後面に裏蓋１２が嵌合する凹部と、前記裏蓋１２を係止するトンボ１４を備えた内枠１１と、裏蓋１２とを備える。写真の前面から照明可能であるので紙にプリントした写真を飾ることができ、発光ダイオードを使用しているので小型化が可能であり、発熱も少ないので、従来の額縁とほとんど同じ大きさで照明付き額縁を製作可能である。【選択図】図１
2006187400.tif 000002
【特許請求の範囲】
【請求項１】
中央に開口部を有し、内枠が嵌合する凹部と、前記内枠を係止する内枠係止手段を備えた外枠と、
前記凹部の前方に配置される透明板と、
前記透明板の後方に配置される飾り枠と、
中央に開口部を有し、少なくとも上下に照明手段を備え、前記開口部の後端に裏蓋が嵌合する凹部と、前記裏蓋を係止する裏蓋係止手段を備えた内枠と、
裏蓋と
を備えたことを特徴とする額縁。
【請求項２】
前記照明手段は、
内枠の上下の枠内に配置された複数の発光ダイオードと、
前記発光ダイオードの前面に配置された光拡散板と
からなることを特徴とする請求項１に記載の額縁。
【請求項３】
前記照明手段は、
内枠の上下の枠内に配置された複数の発光ダイオードと、
前記発光ダイオードの前面に配置されたレンズと
からなることを特徴とする請求項１に記載の額縁。
【発明の詳細な説明】
【技術分野】
【０００１】
この発明は額縁に関し、特に、照明機能を付加した額縁に関する。
【背景技術】
【０００２】
従来、照明機能を付加した額縁としては、例えば蛍光灯を使用して背面から照明するバックライト方式のものが提案されていた。例えば下記特許文献１は、額縁を備えたバックライト装置が開示されている。
【特許文献１】特開平１０−１７９３５１号公報
【発明の開示】
【発明が解決しようとする課題】
【０００３】
上記した従来の照明機能付き額縁においては、バックライト方式のために、写真を飾る場合には、透明あるいは半透明のフィルムにプリントしたものを使用する必要があり、紙にプリントした通常の写真を飾ることができないという問題点があった。また、光源として蛍光灯あるいは冷陰極管を使用するためにインバータ回路が必要であり、更に光源の前に導光板を、裏面に反射シートを備える必要があるので装置の小型化が困難であり、比較的消費電力が大きいので発熱が大きいなどの問題点もあった。
【０００４】
この発明の目的は、上記したような従来技術の問題点を解決し、前面からの照明が可能であり、小型で発熱も少なく、照明むらも少ない照明機能を付加した額縁を提供することにある。
【課題を解決するための手段】
【０００５】
本発明の額縁は、中央に開口部を有し、内枠が嵌合する凹部と、前記内枠を係止する内枠係止手段を備えた外枠と、前記凹部の前方に配置される透明板と、前記透明板の後方に配置される飾り枠と、中央に開口部を有し、少なくとも上下に照明手段を備え、前記開口部の後端に裏蓋が嵌合する凹部と、前記裏蓋を係止する裏蓋係止手段を備えた内枠と、裏蓋とを備えたことを主要な特徴とする。
【０００６】
また、前記した額縁において、前記照明手段は、内枠の上下の枠内に配置された複数の発光ダイオードと、前記発光ダイオードの前面に配置された光拡散板とからなっていてもよい。また、前記した額縁において、前記照明手段は、内枠の上下の枠内に配置された複数の発光ダイオードと、前記発光ダイオードの前面に配置されたレンズとからなっていてもよい。
【発明の効果】
【０００７】
本発明の額縁によれば、以下のような効果がある。
（１）写真の前面から照明可能であるので紙にプリントした写真を飾ることができる。
（２）発光ダイオードを使用しているので小型化が可能であり、インバータも導光板も必要なく、発熱も少ないので、従来の額縁とほとんど同じ大きさで照明付き額縁を製作可能である。
【０００８】
（３）発光ダイオードを均一に配置し、光拡散手段を使用することにより、照明むらが少なく均一な照明が可能である。
（４）そのままの構造でバックライト方式の照明も可能である。
（５）押し花などの立体的な作品も飾ることが可能である。
【発明を実施するための最良の形態】
【０００９】
以下、図面を参照して本発明の額縁の実施例を説明する。
【実施例１】
【００１０】
図１は、本発明の額縁の構成を示す平面図、側面図である。本発明による額縁は、大きく、外枠１０、内枠１１、裏蓋１２からなる。外枠１０は中央に開口部を有し、外枠１０の内側に内枠１１が嵌合する凹部１９と、内枠１１を係止する内枠係止手段である、回転可能な板状部材のトンボ１４を備えている。また、前記凹部１９に嵌合して開口部の前面に配置される透明板およびこの透明板の後方に配置される飾り枠１８を備えている。
【００１１】
内枠１１は、中央に開口部を有し、少なくとも上下に照明手段である発光ダイオードを備え、前記開口部の後端に裏蓋１２が嵌合する凹部２７と、前記裏蓋１２を係止する裏蓋係止手段であるトンボ１４を備えている。なお内枠１１の背面には外部から直流電源を供給するためのコネクタ１６およびスイッチ１７も配置されている。
【００１２】
内枠１１の凹部２７と嵌合する裏蓋１２は裏面に支え板１３を備えている。なお、額縁を縦にして使用できるようにするために、支え板１３は９０度角度を変えて装着できるようになっていてもよい。
【００１３】
図２は、本発明の額縁の構造および使用例（１）を示す断面図である。この実施例は紙にプリントされた写真を飾る場合の使用例を示しており、左側に配置順序を、右側に完成時の配置を示してある。紙にプリントされた写真２０を飾る場合には、まず、裏蓋１２の前面に写真２０を配置して、裏蓋１２と写真２０を内枠１１の凹部２７に嵌合させ、トンボ１４を回転させて固定する。
【００１４】
次に、外枠１０の凹部１９にアクリル等の透明なプラスティックやガラスなどの透明板２６、厚紙等でできた中央に開口部を有する飾り枠２５（＝１８、マットともいう）を嵌合し、その背後から内枠１１を嵌合してトンボ１４にて固定する。飾り枠２５は、内枠の照明手段が表側正面から見えないように隠す役目を果たす。最後に、額縁のコネクタ１６に図示しないＡＣアダプタや電池等の電源を接続し、スイッチ１７をオンすることにより写真２０が照明される。
【００１５】
内枠１１の少なくとも上下の枠内には溝状の凹部が設けられており、凹部の内部には複数の発光ダイオード２１が装着されたプリント配線基板２２が配置されている。また、凹部の額縁の内側を向く面には光を拡散するための拡散板２３が配置されている。更に、凹部の側面には光を反射する反射板、反射シールあるいは反射塗料２４が設けられている。なお、飾り枠２５の背面にも光を反射する反射板、反射シールあるいは反射塗料２４が設けられていてもよい。
【００１６】
発光ダイオード２１と拡散板２３との距離が離れているほど照明むらが少なく均一に照明することができるが、小型の額縁の場合には、距離が取りにくいので、発光ダイオード２１としてはなるべく照射角度の広いものを採用する。また、レンズ付きの砲弾型の発光ダイオードの場合には頭部のレンズ部分を切削してレンズを削除して使用してもよい。また、表面実装型のチップ型発光ダイオードを使用してもよい。
【００１７】
発光ダイオードの色は白色であってもよいが、例えば赤、青、緑のそれぞれの発光を独立して制御可能な発光ダイオードを使用すれば、照明色をスイッチによって所望の色に変更することができる。
【００１８】
図３は、本発明の額縁の構造および使用例（２）を示す断面図である。この使用例は、透明なフィルムに印刷した写真等の画像を背面から照明するものである。この場合には、裏蓋１２の前面には白い紙など光を乱反射する反射シート３０を配置する。なお、裏蓋の前面を白く塗装しておけば、反射シート３０は不要である。そして、飾り枠２５と内枠１１との間に、写真フィルム３２と光を拡散する拡散シート３１を挟んで外枠１０の凹部１９に嵌合させる。
【００１９】
各部材を上記のように配置し、照明手段である発光ダイオード２１を点灯することにより、写真フィルム３２の裏側から均一に照明される。なお、半透明なフィルムに写真等をプリントすることにより、拡散シート３１を省略することもできる。
【００２０】
図５は、本発明の額縁の照明回路の回路図である。例えば発光ダイオード５０（＝２１）が２個直列に接続され、更に電流制限用の抵抗５１が直列に接続された回路が複数個並列に接続されている。発光ダイオード５０の数は、小型の額縁においては、例えば２４個であってもよい。回路はスイッチ１７を介してコネクタ１６に接続されている。このコネクタ１６に例えばＤＣ９ボルトを出力するＡＣアダプタあるいは電池を接続する。なお、ＡＣアダプタあるいは電池を額縁内に内蔵してもよい。
【実施例２】
【００２１】
図４は、本発明の額縁の内枠の他の実施例を示す断面図である。額縁の大きさが大きい場合には発光ダイオード２１の光が中央部分まで届かず、中央部分が暗くなってしまうという課題がある。そこで、図４に示す実施例２においては、発光ダイオード２１の前面に拡散板ではなく、かまぼこ状のレンズ４１を配置してある。
【００２２】
また、大型の額縁の場合には内枠４０の厚さをなるべく厚くし、発光ダイオード２１と写真（裏蓋）面との垂直距離をなるべく大きく取る。更に、発光ダイオード２１の向きを裏蓋１２と並行な線より数度（例えば３度）程度裏蓋側に向ける。このようにすることにより、光が中央部分まで届くようになり、照明むらが減少する。
【００２３】
以上実施例を説明したが、本発明の額縁には以下のような変形例も考えられる。実施例においては、上下に照明手段を設けた例を開示したが、特に大型の額縁の場合には上下だけではなく、左右両側の内枠にも照明手段を設けてもよい。実施例においては、飾り枠と内枠とが別部材である例を開示したが、飾り枠は内枠と一体であってもよい。
【図面の簡単な説明】
【００２４】
【図１】本発明の額縁の構成を示す平面図、側面図である。
【図２】本発明の額縁の構造および使用例（１）を示す断面図である。
【図３】本発明の額縁の構造および使用例（２）を示す断面図である。
【図４】本発明の額縁の内枠の他の実施例を示す断面図である。
【図５】本発明の額縁の照明回路の回路図である。
【符号の説明】
【００２５】
１０    外枠
１１    内枠
１２    裏蓋
１３    押さえ板
１４    トンボ
１６    コネクタ
１７    スイッチ
１８    飾り枠
【図１】
2006187400.tif 000003
【図２】
2006187400.tif 000004
【図３】
2006187400.tif 000005
【図４】
2006187400.tif 000006
【図５】
2006187400.tif 000007